(57)【要約】壁面（５）の貫通孔（５０）に挿入してその奥方からアンカー軸（２４）を引っ張って開脚部（２０）を開脚させるとともに、ストッパー部材（４）をアンカー軸（２４）に逆行不能に取り付けて壁面（５）を挟み込めるようにする。これにより、従来のボードアンカーの取り付け作業時に必要であったボルトの回転作業をなくし、また引っ張り作業だけで壁面（５）の厚みに依存することなく装着物（９）を迅速かつ簡単に取り付けられるようにする。
2003087592.tif 000002
【特許請求の範囲】
【請求項１】
壁面に設けられた貫通孔に挿入されこの貫通孔の奥方で開脚可能に構成された開脚部と、この開脚部を貫通孔に挿入した後この開脚部を前方に引き寄せるためのアンカー軸と、このアンカー軸にスライド可能に挿入され前記開脚部とによって壁面を挟み込んで固定されるストッパー部材とを設けてなり、前記アンカー軸に、前記ストッパー部材のスライドを係止させるスライド規制部を設けたことを特徴とする固定具。
【請求項２】
前記開脚部およびアンカー軸を可撓性樹脂で形成した請求の範囲第１項に記載の固定具。
【請求項３】
前記開脚部が、開脚先端部に向けて漸次肉厚が薄くなるように構成したものである請求の範囲第１項に記載の固定具。
【請求項４】
前記ストッパー部材が、壁面に設けられた貫通孔に嵌め込まれる嵌込部を設けたものである請求の範囲第１項に記載の固定具。
【請求項５】
前記ストッパー部材のアンカー軸挿入部分に、前記スライド規制部を納めうる凹部を設けた請求の範囲第１項に記載の固定具。
【請求項６】
前記アンカー軸に、このアンカー軸の引っ張りを補助するための引張補助部を設けた請求の範囲第１項に記載の固定具。
【請求項７】
請求の範囲第１項に記載の固定具に、更に、ストッパー部材と壁面との間に挟み込まれるフック部材を設けてなることを特徴とする固定具。
【請求項８】
壁面に設けられた貫通孔に挿入されこの貫通孔の奥方で開脚可能に構成された開脚部と、この開脚部を貫通孔に挿入した後この開脚部を前方に引き寄せるためのアンカー軸と、このアンカー軸にスライド可能に取り付けられ前記開脚部とによって壁面を挟み込んで固定されるストッパー部材とを設けてなり、前記アンカー軸に、前記ストッパー部材のスライドを係止させるスライド規制部を設けた固定具の取付方法であって、開脚部を貫通孔の奥方に挿入する工程と、ストッパー部材をアンカー軸に挿入して貫通孔側までスライドさせる工程と、ストッパー部材を壁面の表面に当接させた状態でアンカー部材を引き寄せる工程と、ストッパー部材から突出しているアンカー部材を切断する工程とを備えた固定具の取付方法。
【発明の詳細な説明】
技術分野
本発明は、壁面などに取り付けられるボードアンカーなどの固定具に関するものであり、より詳しくは、石膏ボードなどのように比較的脆い特性を有する壁面などに対して好適に取り付けられる固定具に関するものである。
背景技術
現在、石膏ボード壁面に各種部材を装着する固定具が商品化されている。このボードアンカーは、第６図に示すように、１０ｍｍ程度の厚みを有する石膏ボード５を表面５ａ側および裏面５ｂ側から挟み込むべく４〜５ｃｍ程度の大きさに構成したもので、金属製のボルト７と、拡散機構８０を設けた専用ナット８によって構成したものである。この拡散機構８０は、ボルト７に通した拡散パーツ８０ａの先端部に雌ネジ８０ｂを設け、ボルト７の回転によって石膏ボード５の裏面５ｂ側に引き寄せられるようにしたものであり、この拡散パーツ８０ａを広げるように押し潰することによって石膏ボード５の裏面５ｂとの接触面積を拡大し、ボルト７を通した装着物９とこの拡散パーツ８０ａとによって石膏ボード５を挟み込めるようにしたものである。
ところが、このような大きさに設定された金属製のボルトを壁面に取り付ける場合、壁面の裏側に壁面材装着のベースとなる縦横の芯材やＣ型アングルなどの突起物が存在していれば、その分だけ壁厚が増して４〜５ｃｍのボードアンカーでは対応できなくなってしまう。また、ボルトの締め付け工程において、ドライバーを数十回も回転させて取り付けなければならず、数多くのボードアンカーを取り付けなければならないような作業現場ではこの作業が大きな負担となる。また、ドライバーによる締め付け作業を行う場合、ドライバーによる回転締め付け圧の負荷抵抗が小さいため、最適な停止位置に達していても更に締め付け作業を行ってしまうことが多く、壁面を破損させてしまう場合がある。
そこで、本発明はかかる不具合に着目してなされたもので、壁面の厚さに依存することなく作業工程を短縮し、また、壁面を破損することのないような固定具を提供することを目的とするものである。
発明の開示
すなわち、本発明の固定具は上記課題を解決するために、壁面に設けられた貫通孔に挿入されこの貫通孔の奥方で開脚可能に構成された開脚部と、この開脚部を貫通孔に挿入した後この開脚部を前方に引き寄せるためのアンカー軸と、このアンカー軸にスライド可能に挿入され前記開脚部とによって壁面を挟み込んで固定されるストッパー部材とを設けてなり、このアンカー軸に、前記ストッパー部材のスライドを規制するスライド規制部を設けるように構成したものである。これによって、アンカー軸の引っ張り作業だけで開脚部を広げ、この開脚部とストッパー部材とで壁面を挟み込んで、迅速かつ簡単に種々の壁厚に対応して取り付けられるようにする。
また、この発明の好ましい形態として、この開脚部およびアンカー軸を可撓性樹脂によって形成する。これにより、この樹脂が本来有する弾性を利用して開脚部の広がり幅を狭めて貫通孔への挿入を可能にするとともに、貫通孔挿入後にその開脚部を復元させて壁面裏側に引っ掛けられるようにする。
更に、別の形態では、この開脚部を、開脚先端側に向けて漸次肉厚が薄くなるように構成する。このように開脚部をテーパー状に構成することにより、アンカー軸の引っ張り時に先端部分を容易に開脚させるようにするとともに、アンカー軸に強力な引っ張り力が加わった場合であっても相対的に太く構成された基端部分によってその引っ張り力に耐えられるようにする。
加えて、ストッパー部材のアンカー軸挿入部分に壁面の貫通孔に嵌め込みうる嵌込部を設けるようにする。このように構成することによって、ストッパー部材を壁面に取り付ける際、この嵌込部を貫通孔に嵌め込んでストッパー部材のがたつきをなくせるようにする。
また、このストッパー部材の表面側にアンカー軸挿入孔よりも大径の凹部を設けるようにする。このように凹部を設けることによってこの凹部内にスライド規制部を納めることができ、アンカー軸切断後にストッパー部材の表面部分から余剰なアンカー軸を突出させないようにして表面を平らにする。
また、このアンカー軸の引っ張りを補助するための引張補助部をアンカー軸に設ける。このような引張補助部を設けるようにすることによって、紐や棒状部材などを引っ掛けて、容易にアンカー軸を引っ張れるようにする。
更に、このような発明において、装着物を引っ掛けるためのフック部材を設け、このフック部材をストッパー部材と壁面との間に挟み込めるように構成する。このように構成することによって、このフック部材を利用してカレンダーなどのような比較的軽量な装着物を取り付けられるようにする。
発明を実施するための最良の形態
以下、本発明の実施形態について図面を参照しながら説明する。この実施形態におけるボードアンカー１は、石膏ボード壁面材などのように比較的脆い特性を有する壁面５などに好適に使用されるものであって、第１図から第３図に示すように、開脚部２０およびアンカー軸２４を備えてなるアンカー部材２と、このアンカー軸２４の後端部２６から挿入されるハット形状をしたストッパー部材４とを設けて構成されるものである。そして、このアンカー軸２４にストッパー部材４のスライドを規制するスライド規制部２５を設けて、このストッパー部材４と開脚部２０とによって壁面５およびこの壁面５に装着される比較的大型の装着物９を挟み込み、もしくは、ストッパー部材４とアンカー部材３との間に適宜フック部材６（第４図参照）などを挟み込んで比較的軽量なカレンダーなどの装着物をそのフック６１に引っ掛けられるようにしたものである。以下、この実施形態におけるボードアンカー１の具体的構成について詳細に説明する。
アンカー部材２は、弾性を有する可撓性樹脂によって矢尻状に形成されたもので、その先端部分に複数の開脚フィン２１を設けた開脚部２０を有し、その開脚フィン２１の基端部２２からアンカー軸２４を延出させて構成したものである。
この開脚フィン２１は、アンカー軸２４との境界部分である基端部２２の肉厚を最も太く構成するとともに、そこから先端部２３に向けて徐々に肉厚を薄くテーパー状に構成している。また、この開脚部２０の開脚状態を狭めた場合に、壁面５に設けた円形の貫通孔５０に挿入できるように正面視円形状の湾曲部２１ａ（第３図参照）を設けて構成している。なお、この開脚部２０は、正面視角形に構成することもできる。
アンカー軸２４は、軸方向に沿って略同一径を有する線材の外周部分にストッパー部材４のスライド逆行を防止するための複数の逆行防止突起２５ａを設けてスライド規制部２５を構成し、更に、このアンカー軸２４の後端部２６近傍に軸方向に沿って切り欠いた補助孔２７を設けている。
この逆行防止突起２５ａは、後端部２６から挿入されるストッパー部材４のスライド逆行を防止すべく断面直角三角形状に構成したもので、アンカー軸２４の先端部分から開脚フィン２１の長さ分だけ避けるように設けている。そして、このような部位を避けて逆行防止突起２５ａを設けることにより、開脚部２０の挿入時に可能な限り開脚フィン２１の狭め寸法幅を小さくできるようにしている。
また、アンカー軸２４の後端部２６近傍に設けた補助孔２７は、開脚部２０を貫通孔５０に挿入した後にアンカー部材３の引っ張りを補助すべく紐や棒状物などを挿入できるようにしたもので、その補助孔２７の外側部分を相対的に薄肉にした薄肉部２８とすることによって過剰な引っ張り力が作用した場合にその薄肉部２８を破断させて壁面５や開脚部２０などの破損を防止できるようにしている。
一方、ストッパー部材４は、壁面５の表面側に当接しうるストッパーリング４０と、壁面５の貫通孔５０に嵌め込まれうる円筒状の嵌込部４１とを設け、また、このストッパーリング４０および嵌込部４１の中心部分に設けたアンカー軸挿入孔４２よりも大径の凹部４３を表面側に設けて構成している。この凹部４３は、逆行防止突起２５ａをストッパーリング４０内に納めうる大きさに設定したものであり、アンカー軸２４の余剰部分を切断する際その余剰部分がストッパーリング４０の表面から突出しないようにしている。また、この凹部４３は、ストッパーリング４０の肉厚を可能な限り薄くすべく、その底面を嵌込部４１側に設けてその位置で逆行防止突起２５ａの先端部分を係止させるようにしている。
次に、このように構成されたボードアンカー１の取り付け方法について説明する。
まず、比較的大きな装着物９を壁面５に装着する場合、その装着物９を石膏ボードの壁面５に位置決めし、ドリルなどの工具を用いて壁面５裏側まで貫通させて貫通孔５０を設ける。また、カレンダーなどのように比較的軽量な装着物を壁面５に取り付ける場合は、第４図に示すようなフック部材６を石膏ボード壁面５の取り付け位置に位置決めし、同様にドリルなどの工具を用いて壁面５裏側まで貫通孔５０を設ける。次に、アンカー部材２の開脚部２０を指で摘んで開脚フィン２１の広がりを押さえ込み、装着物９の孔部もしくはフック部材６の孔部６０を介して壁面５の貫通孔５０に差し込み、壁面５の裏側まで到達させる。その際、開脚部２０は貫通孔５０を出た途端、強制的に狭められていた状態から可撓性樹脂本来の特性である弾性反発力によって元の状態に広がり、壁面５の裏側から抜けない状態となる。次に、アンカー軸２４の後端部２６側からストッパー部材４を挿入し、ストッパー部材４の嵌込部４１を装着物９の孔部もしくはフック部材６の孔部６０を介して壁面５の貫通孔５０に挿入する。そして、このストッパー部材４からはみ出しているアンカー軸２４の後端部２６を手で摘み、ストッパー部材４を壁面５に押さえ付けながら強く引っ張って開脚部２０をより大きく開脚させる。そして、開脚部２０の基端部２２を壁面５の裏側に接触させた状態で逆行防止突起２５ａを凹部４３内に係止させ、このストッパー部材４と開脚部２０とによって壁面５を挟み込む。
また、この引っ張り作業工程においてさらなる引き込みが必要となった場合は、アンカー軸２４の後端部２６近傍に設けられた補助孔２７に紐や棒状部材を通し、引っ張りやすい状態とした上でこのアンカー軸２４を強く引っ張る。この際、万一過剰な引っ張り力が加えられた場合、その補助孔２７の外側部分の薄肉部２８を破断させ、開脚部２０や壁面５裏側の破損などを防止できるようにする。
そして、最後にストッパー部材４を取り付けた後、ストッパーリング４０の表面部分から突出している余剰なアンカー軸２４を万能ハサミやニッパなどで切断して表面を平らにし、取り付け作業を完了する。
このように上記実施形態によれば、貫通孔５０に挿入してその奥方からアンカー軸２４を引っ張って開脚部２０を開脚させるとともに、ストッパー部材４をアンカー軸２４に逆行不能に取り付けて壁面５を挟み込めるようにしたので、従来のようにボルトのねじ込み作業などが不要になり、引っ張り作業だけ迅速かつ簡単に装着物９を取り付けることができるようになる。
更に、このような開脚部２０およびアンカー軸２４を弾性を有する可撓性樹脂で形成しているため、その樹脂本体の特性を利用して開脚部２０を狭めて貫通孔５０に挿入するとともに、貫通孔５０に挿入した後その開脚部２０を広げて壁面５の裏側に接触させることができるようになる。
更に、開脚部２０における基端部２２の肉厚を相対的に厚くするように構成したので、アンカー軸２４の引っ張り作業工程において強い引っ張り力が作用した場合であってもその部分の破断や変形などを防止することができるようになる。
加えて、ストッパー部材４に嵌込部４１を設けるようにしたので、この嵌込部４１を貫通孔５０に嵌め込んでストッパー部材４のがたつきを防止することができるようになる。
また、このストッパー部材４の表面側にアンカー軸挿入孔４２よりも大径の凹部４３を設けるようにしたので、この凹部４３に逆行防止突起２５ａを納めてストッパー部材４の表面を平らにすることができ、また、その逆行防止突起２５ａの係止部を嵌込部４１側に位置させるように構成したので、ストッパーリング４０を可能な限り薄くすることができる。
また、このアンカー軸２４に、アンカー軸２４の引っ張りを補助するための補助孔２７を設けるようにしたので、強い引っ張り力を必要とした場合にこの補助孔２７に紐や棒状物を差し込んで引っ張ることができる。また、この補助孔２７の周辺を相対的に肉厚の薄い薄肉部２８に形成したので、過剰な引っ張り力が作用した場合、この部分を破断させて壁面５や開脚部２０の破損などを未然に防止することができるようになる。
更に、上記実施形態ではフック部材６を設けて、これをアンカー軸２４に挿入し、ストッパーリング４０と壁面５との間に装着できるようにしたので、このフック６１を利用してカレンダーなどのような比較的軽量な装着物を取り付けられるようにすることができる。
なお、本発明と上記実施形態との関係において、固定具はボードアンカー１に対応し、スライド規制部２５は複数の逆行防止突起２５ａに対応し、引張補助部は補助孔２７に相当するも、本発明は上記実施形態に限定されるものではない。
例えば、上記実施形態では、開脚部２０をアンカー軸２４と一体に成形したものを用いて説明したが、開脚部２０とアンカー軸２４とをそれぞれ別個独立なものにし、開脚部をアンカー軸の先端部分に着脱可能に取り付けられるようにしても良い。このように構成すれば、切断されたアンカー軸２４の余剰部分を再利用することができ、より低コストなものにすることができる。
また、上記実施形態ではアンカー軸の断面形状を円形に構成したが、これに限らず断面長方形状などにしても良く、また、後端部のみを固く構成してストッパー部材４を挿入しやすくするとともに途中部分を紐などの異なる部材で構成しても良い。
更に、上記実施形態では、逆行防止突起２５ａとして一方向へのみスライドする断面直角三角形状のものにしているが、これに限らず半円形状の突起に構成して一定以上の力が作用した場合にその作用方向へのスライドを許容するようにしても良い。また、この実施形態では、スライド規制部２５としてアンカー軸２４側に逆行防止突起２５ａを設けるようにしているが、これとは逆に、ストッパー部材のアンカー軸挿入孔側に逆行防止突起を設けるとともに、アンカー軸側にこの突起を係止させる凹状溝を設けるようにしても良い。そして、これらの逆行防止突起は、アンカー軸などの外周全体にわたって設ける必要はなく、片側のみに設けるようにしても良い。このように構成すれば、樹脂の使用量を低減させることができるようになる。
また、上記実施形態では、引張補助部として補助孔２７を設けて説明したが、これに限らず紐や棒状部材などを取り付けられるようなものであれば突起形状をしたものであっても良い。
また、このストッパー部材の形状として第５図に示すように、先端部分に尖状のテーパー部４１ａを設けて石膏ボードの壁面５に押し込めるようなものにしても良い。この図における符号は第１図などに対応する部分に同じ番号を付している。通常、各種現場作業で石膏ボードの壁面５に直径５〜１０ｍｍの孔を設ける場合、装着物９で見えなくなる孔についてドリルで正確に孔を設ける必要がないため、ドライバーの先端を押し込んで孔を設けることが良くある。このため第５図のように構成されたストッパー部材４ａを用いる場合、まず、ドライバーの先端部分を利用してアンカー軸２４挿入用の小さな孔をあけ、その後、ストッパー部材４ａのテーパー部４１ａを利用して石膏ボードの壁面５にそのストッパー部材４ａを押し込んで取り付けるようにする。このようにすれば、ストッパー部材４ａの外径に合わせた大きな貫通孔を事前に設けなくてもアンカー部材４ａを挿入するための孔を設けておくだけで済み、作業効率を格段に良くすることができるようになる。
産業上の利用可能性
このように本発明によれば、壁面に設けられた貫通孔に挿入されこの貫通孔の奥方で開脚可能に構成された開脚部と、この開脚部を貫通孔に挿入した後この開脚部を前方に引き寄せるためのアンカー軸と、このアンカー軸にスライド可能に挿入され前記開脚部とによって壁面を挟み込んで固定されるストッパー部材とを設け、このアンカー軸に、前記ストッパー部材のスライドを規制するスライド規制部を設けるように構成したので、アンカー軸の引っ張り作業だけで開脚部とストッパー部材とで壁面を挟み込むことができ、迅速かつ簡単に種々の壁厚に対応した取り付け作業を行うことができるようになる。
【図面の簡単な説明】
第１図は、本発明の第一の実施形態を示すボードアンカーを取り付ける状態を示す図である。第２図は、第１図におけるボードアンカーを取り付けた状態を示す図である。第３図は、同形態におけるボードアンカーの正面図である。第４図は、同形態におけるボードアンカーに取り付けられるフック部材を示す図である。第５図は、別の実施形態におけるストッパー部材を示す図である。第６図は、従来のボードアンカーおよびその取り付け状態を示す図である。
【図１】
2003087592.tif 000003
【図２】
2003087592.tif 000004
【図３】
2003087592.tif 000005
【図４】
2003087592.tif 000006
【図５】
2003087592.tif 000007
【図６】
2003087592.tif 000008
【国際調査報告】
2003087592.tif 000009
2003087592.tif 000010
2003087592.tif 000011
2003087592.tif 000012